(57)【要約】【課題】  多光軸光電スイッチを長さの異なるものに交換する場合の作業性を向上すること、及び取付スペースの大型化を回避すること。【解決手段】  取付具２０は本体ケース１４の端部に設けられた本体側取付具２０Ｆと、取付箇所に固定されるベース側取付具２０Ｓとを備えている。ベース側取付具２０Ｓは、本体側取付具２０Ｆを長さ方向に沿って変位可能なガイド部４６を備え、かつ本体側取付具２０Ｆを任意の位置で保持可能である。これにより、多光軸光電スイッチ１０を交換する際には、ベース側取付具２０Ｓを取付箇所に固定したままで、本体側取付具２０Ｆの保持位置を適宜調整すればよく、従来のように交換の度に取付箇所にネジ孔を設ける加工が不要になる。また、本体ケース１４の端部からの取付具２０の張り出し寸法が従来のものよりも小さくなり、取付スペースの大型化を回避することができる。【選択図】  図１０
2005340139.tif 000002
【特許請求の範囲】
【請求項１】
本体ケース内に複数の投光素子が一列状に配列された投光器と、その投光器に対向して配置されかつ本体ケース内に前記複数の投光素子のそれぞれと対をなす複数の投光素子が一列状に配列された受光器とを備えて構成される多光軸光電スイッチにおいて、前記投光器及び前記受光器のうち少なくとも一方の本体ケースの両端を取付具によって所定の取付箇所に取り付ける多光軸光電スイッチの取付構造であって、
前記取付具のうち少なくとも一方の取付具は、
前記本体ケースのうち前記配列方向における端部に設けられた第１取付手段と、
前記取付箇所に固定可能な固定手段と前記第１取付手段を前記配列方向における複数の位置で選択的に保持可能な可変保持手段とを備えた第２取付手段とを備え、
前記第２取付手段においては、前記可変保持手段が前記固定手段よりも前記配列方向における中央側に向かって延出して設けられていることを特徴とする多光軸光電スイッチの取付構造。
【請求項２】
前記可変保持手段は、前記第１取付手段を前記配列方向に沿って連続的に変位可能なガイド部を備えるとともに、前記第１取付手段をこのガイド部上の任意の位置で保持可能とされていることを特徴とする請求項１に記載の多光軸光電スイッチの取付構造。
【請求項３】
前記第１取付手段は、前記本体ケースを前記配列方向に沿った回動軸を中心に回動可能な状態で支持する軸支手段と、
前記本体ケースを前記回動軸周りの複数の位置で保持可能な回動位置保持手段とを備えていることを特徴とする請求項１または請求項２に記載の多光軸光電スイッチの取付構造。
【請求項４】
本体ケース内に複数の投光素子が一列状に配列された投光器と、その投光器に対向して配置されかつ本体ケース内に前記複数の投光素子のそれぞれと対をなす複数の投光素子が一列状に配列された受光器とを備えて構成される多光軸光電スイッチにおいて、前記投光器及び前記受光器のうち少なくとも一方の本体ケースの両端を取付具によって所定の取付箇所に取り付ける多光軸光電スイッチ用取付具であって、
前記取付具のうち少なくとも一方の取付具は、
前記取付箇所に固定可能な固定手段と、
前記本体ケースのうち前記配列方向における端部に設けられた本体側取付具を前記配列方向における複数の位置で選択的に保持可能な可変保持手段とを備え、
前記可変保持手段が前記固定手段よりも前記配列方向における中央側に向かって延出して設けられていることを特徴とする多光軸光電スイッチ用取付具。
【請求項５】
前記可変保持手段は、前記本体側取付具を前記配列方向に沿って連続的に変位可能なガイド部を備えるとともに、前記本体側取付具をこのガイド部上の任意の位置で保持可能とされていることを特徴とする請求項４に記載の多光軸光電スイッチ用取付具。
【請求項６】
本体ケース内に複数の投光素子が一列状に配列された投光器と、その投光器に対向して配置されかつ本体ケース内に前記複数の投光素子のそれぞれと対をなす複数の投光素子が一列状に配列された受光器とを備えて構成される多光軸光電スイッチにおいて、前記投光器及び前記受光器のうち少なくとも一方の本体ケースの両端を取付具によって所定の取付箇所に取り付ける多光軸光電スイッチの取付方法であって、
前記取付具のうち少なくとも一方の取付具においては、
前記本体ケースのうち前記配列方向における端部に設けられた第１取付手段を第２取付手段に対して前記配列方向における複数の位置から選択的に保持させるとともに、前記第２取付手段を前記取付箇所に対して固定させることを特徴とする多光軸光電スイッチの取付方法。
【発明の詳細な説明】
【技術分野】
【０００１】
本発明は、多光軸光電スイッチの取付構造、多光軸光電スイッチ用取付具及び多光軸光電スイッチの取付方法に関する。
【背景技術】
【０００２】
多光軸光電スイッチは、複数の投光素子が配列された投光器と、それらの複数の投光素子のそれぞれと対をなす複数の受光素子が配列された受光器とを、所定の検出領域を挟んで対向した状態で配置した構成をなしている。投光器及び受光器間に物体が存在すると、投光器から出射され受光器に向う光がその物体により遮られるため、物体が存在しないときに比べて受光器での受光量レベルが低下する。従って、受光器での受光量レベルを測定することで検出領域内を通過する物体を検出することが可能になる。
【０００３】
従来、この種の多光軸光電スイッチにおいては、投光器及び受光器を所定の取付箇所に取り付ける場合に、例えば下記特許文献１に開示されたもののように、本体ケースの両端に設けた断面Ｌ字状の取付具を取付箇所の壁面等に直接ネジ止めするようにしていた。
【特許文献１】実用新案登録第２５５４７５５号公報
【発明の開示】
【発明が解決しようとする課題】
【０００４】
しかしながら、上記従来のものでは、取り付けられた多光軸光電スイッチを、本体ケースの長さ寸法が異なる別の多光軸光電スイッチに交換する場合に、その長さ寸法によって壁面等に対する取付具の固定位置が異なってくることから、交換の度に壁面等に新たにネジ孔に設ける加工が必要になって、作業が煩雑になるという問題があった。
【０００５】
この問題の対策として、例えば図１１（Ａ）に示すように、本体ケース１００の両端部に設けられたＬ字型の取付具１０１，１０１の有するネジ止め用の挿通孔１０２を本体ケース１００の長さ方向（同図左右方向）に沿って延長する構成が考えられる。同図では、取り付け可能な本体ケース１００のうち長さ寸法が最大（Ｌ）のものを取り付けた状態を例示しており、このとき固定ネジ１０３は挿通孔１０２における本体ケース１００側の端部に位置している。この本体ケース１００をそれより長さ寸法の小さなものに交換する場合には、その長さ寸法に合わせて固定ネジ１０３に対する取付具１０１，１０１の位置を中央側に変更して固定することができ、これにより壁面Ｗに対するネジ止め位置を変えることなく長さ寸法の異なる本体ケース１００を取り付けることが可能となる。
しかしながら、この場合には、固定ネジ１０３の挿通孔１０２を延長した分、取付具１０１，１０１の長さ寸法αが大きくなるため、固定ネジ１０３のねじ止め位置からの取付具１０１，１０１の張り出し寸法が延びて、取付スペースの大型化を招くという問題がある。
【０００６】
本発明は上記のような事情に基づいて完成されたものであって、その目的は、多光軸光電スイッチを長さの異なるものに交換する場合の作業性を向上することと、取付スペースの大型化を回避することの可能な多光軸光電スイッチの取付構造、多光軸光電スイッチ用取付具及び多光軸光電スイッチの取付方法を提供するところにある。
【課題を解決するための手段】
【０００７】
上記の目的を達成するための手段として、請求項１の発明は、本体ケース内に複数の投光素子が一列状に配列された投光器と、その投光器に対向して配置されかつ本体ケース内に前記複数の投光素子のそれぞれと対をなす複数の投光素子が一列状に配列された受光器とを備えて構成される多光軸光電スイッチにおいて、前記投光器及び前記受光器のうち少なくとも一方の本体ケースの両端を取付具によって所定の取付箇所に取り付ける多光軸光電スイッチの取付構造であって、前記取付具のうち少なくとも一方の取付具は、前記本体ケースのうち前記配列方向における端部に設けられた第１取付手段と、前記取付箇所に固定可能な固定手段と前記第１取付手段を前記配列方向における複数の位置で選択的に保持可能な可変保持手段とを備えた第２取付手段とを備え、前記第２取付手段においては、前記可変保持手段が前記固定手段よりも前記配列方向における中央側に向かって延出して設けられているところに特徴を有する。
【０００８】
請求項２の発明は、請求項１に記載のものにおいて、前記可変保持手段は、前記第１取付手段を前記配列方向に沿って連続的に変位可能なガイド部を備えるとともに、前記第１取付手段をこのガイド部上の任意の位置で保持可能とされているところに特徴を有する。
【０００９】
請求項３の発明は、請求項１または請求項２に記載のものにおいて、前記第１取付手段は、前記本体ケースを前記配列方向に沿った回動軸を中心に回動可能な状態で支持する軸支手段と、前記本体ケースを前記回動軸周りの複数の位置で保持可能な回動位置保持手段とを備えているところに特徴を有する。
【００１０】
請求項４の発明は、本体ケース内に複数の投光素子が一列状に配列された投光器と、その投光器に対向して配置されかつ本体ケース内に前記複数の投光素子のそれぞれと対をなす複数の投光素子が一列状に配列された受光器とを備えて構成される多光軸光電スイッチにおいて、前記投光器及び前記受光器のうち少なくとも一方の本体ケースの両端を取付具によって所定の取付箇所に取り付ける多光軸光電スイッチ用取付具であって、前記取付具のうち少なくとも一方の取付具は、前記取付箇所に固定可能な固定手段と、前記本体ケースのうち前記配列方向における端部に設けられた本体側取付具を前記配列方向における複数の位置で選択的に保持可能な可変保持手段とを備え、前記可変保持手段が前記固定手段よりも前記配列方向における中央側に向かって延出して設けられているところに特徴を有する。
【００１１】
請求項５の発明は、請求項４に記載のものにおいて、前記可変保持手段は、前記本体側取付具を前記配列方向に沿って連続的に変位可能なガイド部を備えるとともに、前記本体側取付具をこのガイド部上の任意の位置で保持可能とされているところに特徴を有する。
【００１２】
請求項６の発明は、本体ケース内に複数の投光素子が一列状に配列された投光器と、その投光器に対向して配置されかつ本体ケース内に前記複数の投光素子のそれぞれと対をなす複数の投光素子が一列状に配列された受光器とを備えて構成される多光軸光電スイッチにおいて、前記投光器及び前記受光器のうち少なくとも一方の本体ケースの両端を取付具によって所定の取付箇所に取り付ける多光軸光電スイッチの取付方法であって、前記取付具のうち少なくとも一方の取付具においては、前記本体ケースのうち前記配列方向における端部に設けられた第１取付手段を第２取付手段に対して前記配列方向における複数の位置から選択的に保持させるとともに、前記第２取付手段を前記取付箇所に対して固定させるところに特徴を有する。
【発明の効果】
【００１３】
＜請求項１、請求項４及び請求項６の発明＞
取付具が本体ケースの端部に設けられた第１取付手段（本体側取付具）と、取付箇所に固定される第２取付手段（多光軸光電スイッチ用取付具）とを備えており、第２取付手段が第１取付手段を配列方向における複数の位置で選択的に保持可能となっている。これにより、多光軸光電スイッチを交換する際には、第２取付手段を取付箇所に固定したままで、第１取付手段の第２取付手段に対する配列方向の保持位置を取り付ける本体ケースの長さ寸法に合わせて適宜調整すればよく、従来のように、本体ケースを交換する度にその長さ寸法に合わせて壁面等の取付箇所にネジ孔を設ける加工が不要になり、作業性が向上する。
【００１４】
また、本構成によれば、取り付け可能な最大長さの本体ケースを取り付けたときに、その長さ方向（配列方向）の調整を行うための可変保持手段が、第１取付手段（本体側取付具）の保持位置から本体ケースの長さ方向の中央側に向けて延びる形態となっており、全体の長さ寸法を増大させない。このため、本体ケースの端部からの取付具の張り出し寸法は、従来の取付具の張り出し寸法よりも小さくて済む。従って、本体ケースの長さ寸法と取付具の張り出し寸法とを加えた全体の長さ寸法を小さく抑えることができ、もって取付スペースの大型化を回避することができる。
【００１５】
＜請求項２及び請求項５の発明＞
また、第２取付手段（多光軸光電スイッチ用取付具）には、第１取付手段（本体側取付具）を配列方向に沿って連続的に変位可能なガイド部が設けられ、第１取付手段をこのガイド部上の任意の位置で保持可能であるため、保持位置が段階的に決定されるものと比べると、第２取付手段を固定した状態のままで、より多くの種類の異なった長さ寸法を有する多光軸光電スイッチを取り付けることが可能となる。
【００１６】
＜請求項３の発明＞
また、第１取付手段（本体側取付具）は、本体ケースを配列方向に沿った回動軸を中心に回動可能な状態で支持する軸支手段と、本体ケースを回動軸周りの複数の位置で保持可能な回動位置保持手段とを備えているため、多光軸光電スイッチの交換時に光軸調整をも同時に行うことができるので作業性が良い。
【発明を実施するための最良の形態】
【００１７】
＜第１実施形態＞
本発明の第１実施形態について図１から図１１を参照して説明する。
本実施形態の多光軸光電スイッチ１０は、図１に示すように、複数の投光素子１１が一列状に配列された投光器１２と、それらの複数の投光素子１１のそれぞれと対をなす複数の受光素子（図示せず）が一列状に配列された受光器１３とを、所定の検出領域を挟んで対向配置した構成をなしている。投光器１２及び受光器１３間に物体が存在すると、その物体により投光器１２から出射され受光器１３に向う光が遮られるため、物体が存在しないときに比べて受光器１３での受光量レベルが低下する。従って、受光器１３での受光量レベルを測定することで所定の検出領域内を通過する物体を検出することが可能になる。投光器１２及び受光器１３の本体ケース１４はそれぞれ長さ方向（本発明の「配列方向」に相当）の両端が取付具２０によって、矩形状に開口した検出箇所Ｅの一対の対向壁Ｗ，Ｗ（本発明の「所定の取付箇所」に相当）に取り付けられている。なお、以下の説明においては、主として投光器１２側の構成について説明し、受光器１３側の構成については詳細には示さないが、その取付構造は投光器１２の取付構造とほぼ同様である。
【００１８】
投光器１２は、図２に示すように、図示８つの投光素子１１が一列状に配列された投光ユニット１５を断面コの字状の本体ケース１４内に収容して構成されている。より具体的には、投光ユニット１５は、筒状をなし一側面側に開口部を透光部材で封鎖してなる投光窓１６Ａが形成された収容ケース１６内に、その投光窓１６Ａに向けて一列状に配列された図示８つの投光素子１１が収容されている。また、上記本体ケース１４の両開放端には、箱状をなす一対のキャップ部材１７Ａ，１７Ｂが嵌着されている。このうちの一方のキャップ部材１７Ｂ（図１及び図２で下側に装着されるキャップ部材）は、本体ケース１４が装着される面とは反対側の面から、基端側が投光ユニット１５の内部回路に電気的に接続されるとともに先端側にコネクタ１８Ａが装着された信号ケーブル１８が導出されている。なお、投光ユニット１５の下端側には、光軸合わせに応じた点灯動作をする光軸合わせ表示灯、投光動作の制御に応じた点灯動作をする動作表示灯や異常表示灯など、複数の表示灯１６Ｂが並設されている。
【００１９】
取付具２０は、大きく分けて、本体ケース１４の端部に設けられかつ本体ケース１４を回動可能に支持する本体側取付具２０Ｆ（本発明の「第１取付手段」に相当）と、取付箇所である対向壁Ｗ，Ｗに直接固定されるベース側取付具２０Ｓ（本発明の「第２取付手段」、「多光軸光電スイッチ用取付具」に相当）とを備えて構成されている。
【００２０】
本体側取付具２０Ｆは、以下に述べるように、本体ケース１４を長さ方向（配列方向）に沿った回動軸を中心に回動可能な状態で支持する軸支手段と、本体ケース１４を回動軸周りの複数の位置で保持可能な回動位置保持手段としての構成を備えている。より具体的には、本体側取付具２０Ｆは、図３に示すように、断面円弧状の突起部２１を有する第１部材２２と、突起部２１の上側に配される第２部材２５と、突起部２１の下側に配される第３部材３０と、これらの各部材２２，２５，３０を互いに組み付けるための一対の取付ネジ３５，３５（同図中には一本のみを図示）とから構成されている。
【００２１】
第１部材２２は、上記キャップ部材１７Ａ，１７Ｂのうち本体ケース１４とは反対側の面に装着される部材である。これは、そのキャップ部材１７Ａ，１７Ｂに装着された状態で、そこから導出された信号ケーブル１８の外周面を下方（図３を基準とする）から囲む断面Ｕ字状のＵ字部２３と、そのＵ字部２３のうちキャップ部材１７Ａ，１７Ｂに装着される側とは反対側の端面において延設され、やはり信号ケーブル１８を下方から囲むような断面円弧状の突起部２１とから構成されている。このうちＵ字部２３は、その両端部分に前後方向（配列方向）に貫通する一対の貫通孔２３Ａ，２３Ａが形成され、ここから一対のネジ２４，２４（図３中には一本のみ図示）がそれぞれ通されてキャップ部材１７Ａ，１７Ｂに形成された一対のネジ穴１９Ａ，１９Ａに螺合されることでキャップ部材１７Ａ，１７Ｂに対して固着されるようになっている。なお、キャップ部材１７Ａ，１７ＢとＵ字部２３との対向面には互いに係合する３組の凸部１９Ｂ及び凹部２３Ｂ（図４参照）が設けられ、これにより第１部材２２がキャップ部材１７Ａ，１７Ｂに対して位置決め状態で固定されるようになっている。
【００２２】
また、上記突起部２１は、キャップ部材１７Ａ，１７Ｂに装着された状態で信号ケーブル１８を中心（本発明の「回動軸」に相当）とする断面円弧状に形成されている（図８も併せて参照）。また、突起部２１には、上記取付ネジ３５，３５の直径よりも大きな幅をもって、かつ当該突起部２１の周方向に沿って延びる一対のガイド用の長孔２１Ａ，２１Ａが縦列状態で貫通形成されている。なお、この長孔２１Ａの数については、一対でなくとも、一つや三つ以上設ける構成としてもよい。また、信号ケーブル１８が導出されていないキャップ部材１７Ａ（図１及び図２において投光器１２上端側のキャップ部材）側に装着される取付具２０については、第１部材２２は断面Ｕ字状の形状でなくてもよく、箱状体の一端面側に上記突起部２１が延設された構成であってもよい。
【００２３】
第２部材２５は、第１部材２２の突起部２１のうち窪んだ内曲面２１Ｂ側（上方）に配される部材であって、図５に示すように、全体として断面半円状の形状をなし、その外側面に突起部２１の内曲面２１Ｂと略同一の曲率を有する凸曲面２５Ａが形成されている。また、第２部材２５のうち凸曲面２５Ａとは反対側の平坦面２５Ｂ両端には、凸曲面２５Ａまで貫通する一対のネジ挿通孔２６，２６が平行をなして貫通形成されている。また、第２部材２５には、その平坦面２５Ｂ上において上記一対のネジ挿通孔２６，２６に挟まれる部分に、凸曲面２５Ａと平行な曲面をなして窪んだ溝２７が形成されており、この溝２７内に信号ケーブル１８が通されるようになっている。なお、信号ケーブル１８が導出されていないキャップ部材１７Ａ（図１及び図２において投光器１２上端側のキャップ部材）側に装着される取付具２０については、上記溝２７が形成されていない構成であってもよい。
【００２４】
第３部材３０は、第１部材２２の突起部２１のうち膨出した外曲面２１Ｃ側（下方）に配される部材であって、図６に示すように、起立した板状をなす軸受壁部３２と、その前面における幅方向の中央下部から前方に延出した延出部３１とが一体的に形成された断面Ｌ字状の形状をなす。このうち上記軸受壁部３２の上面は、釣り橋状に窪んだ凹曲面３２Ａとなっており、この曲率が突起部２１の外曲面２１Ｃと略同一に形成されている。また、この凹曲面３２Ａのうち上記第２部材２５の一対のネジ挿通孔２６，２６との対向位置には、上記取付ネジ３５，３５と螺合する一対のネジ穴３３，３３が形成されている。なお、上記第１部材２２の突起部２１、第２部材２５、第３部材３０の軸受壁部３２及び取付ネジ３５，３５は本発明の軸支手段及び回動位置保持手段に相当する。
【００２５】
さらに、延出部３１には、貫通孔３１Ａが上下に貫通して形成されており、後述するように、この貫通孔３１Ａに保持ネジ４３（図３参照）を上方から通して後述するナット部材４２と螺合することで、第３部材３０がベース側取付具２０Ｓの有するベース部材４０に対して固着されるようになっている。また、図６に示すように、延出部３１の下端部及び軸受壁部３２の下面中央部は、軸受壁部３２下面の両側部に比べて、所定寸法だけ下方に張り出した張出部３４が形成されており、この張出部３４は後述するベース部材４０のガイド溝４７内に嵌め入れ可能となっている。
【００２６】
一方、ベース側取付具２０Ｓは、図３に示すように、取付箇所である対向壁Ｗ上に固定される平板状のベース部材４０と、そのベース部材４０を対向壁Ｗにねじ止めするための一対の固定ネジ４１，４１（同図中には一本のみを図示）と、本体側取付具２０Ｆをベース部材４０と一体的に保持するためのナット部材４２と、このナット部材４２と螺合される保持ネジ４３とを備えて構成されている。
【００２７】
ベース部材４０は、図７に示すように、全体として細長い平板状をなしている。ベース部材４０の前端部（図７各図の左側の端部）には、幅方向に張り出した固定部４４が設けられており、この固定部４４における幅寸法が本体ケース１４の幅寸法と同程度になっている。固定部４４の幅方向両端部には、前後方向（配列方向）に沿って細長い一対の貫通孔４４Ａ，４４Ａが形成されており、ここに挿通される一対の固定ネジ４１，４１を通してその固定ネジ４１，４１を対向壁Ｗに形成されたネジ穴（図示せず）に螺合することで、ベース部材４０が下面を対向壁Ｗに当接させた状態で固定されるようになっている。なお、固定部４４と固定ネジ４１，４１とは共に本発明の固定手段に相当する。
【００２８】
また、ベース部材４０の固定部４４から後方（配列方向の中央側）に向かってガイド部４６が延出して形成されている。ガイド部４６の上面には、ガイド溝４７がガイド部４６と同じく前後方向に延びて形成されており、このガイド溝４７には、前述した第３部材３０の下面に設けられた張出部３４が幅方向に位置決めされた状態で嵌まり、両者４７，３４を摺接させつつ本体側取付具２０Ｆをガイド溝４７に沿って前後に変位可能となっている。また、ガイド溝４７の底面における幅方向中央位置には、上下に貫通した挿通溝４８がガイド溝４７のほぼ前端から後端まで延びて形成されている。この挿通溝４８には、図９にも示すように、保持ネジ４３が挿通可能となっている。さらに、ガイド部４６の下面には、収容溝４９が同じく前後方向に延びて形成されており、ここには次に述べるナット部材４２が収容されるようになっている。なお、ガイド部４６、保持ネジ４３及びナット部材４２は、本発明の可変保持手段に相当する。
【００２９】
ナット部材４２は、図３に示すように、平面視長方形の板状をなしており、保持ネジ４３を螺合可能なネジ孔４２Ａが上下に貫通して形成されている。また、ナット部材４２の上面には、長方形状に突出した突起部５０が形成されており、この突起部５０を挿通溝４８内に嵌め込むことで、ナット部材４２が幅方向に位置決めされ、保持ネジ４３を締め付ける際の連れ回りが防止されるようになっている。前述のように、ガイド溝４７に第３部材３０の張出部３４を嵌め込むとともに、延出部３１の貫通孔３１Ａ及び挿通溝４８に保持ネジ４３を挿通させ、その保持ネジ４３を収容溝４９内のナット部材４２に螺合することにより、ナット部材４２と第３部材３０との間にベース部材４０が挟まれて、本体側取付具２０Ｆとベース側取付具２０Ｓとが互いに保持される。また、保持ネジ４３を緩めて、第３部材３０をガイド溝４７に沿って前後にスライドさせることで、本体側取付具２０Ｆを変位可能であり、また保持ネジ４３を締め付けることで、本体側取付具２０Ｆが任意の位置で保持される。言い換えれば、ベース側取付具２０Ｓは、本体側取付具２０Ｆを上記配列方向における複数の位置で選択的に保持可能である。
【００３０】
次に多光軸光電スイッチ１０が取り付けられていない状態の対向壁Ｗに対し初めて多光軸光電スイッチ１０を取り付ける場合の手順について説明する。
はじめに投光器１２及び受光器１３の本体ケース１４に本体側取付具２０Ｆを取り付ける。まず図３に示すように、第１部材２２を一対のネジ２４，２４によってキャップ部材１７Ａ，１７Ｂに装着しつつ、そこから導出された信号ケーブル１８と、突起部２１の内曲面２１Ｂとの間に第２部材２５を配する。そして、更に、突起部２１の外曲面２１Ｃに対して後方から第３部材３０の凹曲面３２Ａを宛がった後に、一対の取付ネジ３５，３５を、第２部材２５のネジ挿通孔２６，２６、及び、第１部材２２の突起部２１の長孔２１Ａ，２１Ａに挿通させて、第３部材３０のネジ穴３３，３３に螺合することで、突起部２１が第２部材２５と第３部材３０との間に挟み込まれて固定される（図８参照）。
【００３１】
次に、上記のようにして本体ケース１４の端部に取り付けられた本体側取付具２０Ｆに対し、ベース側取付具２０Ｓを取り付ける。まず第３部材３０の張出部３４をベース部材４０のガイド溝４７に嵌め込み、第３部材３０の貫通孔３１Ａに保持ネジ４３を挿通させて、その保持ネジ４３をベース部材４０の収容溝４９内に配したナット部材４２と螺合する（図９及び図１０参照）。これにより、ベース部材４０が第３部材３０とナット部材４２との間に挟み込まれて、両者３０，４０が一体的に保持される。
【００３２】
次に、対向壁Ｗにベース部材４０を固定する固定ネジ４１，４１に対応するネジ孔（図示せず）を設ける。このとき、ネジ孔の位置は、使用することが想定される多光軸光電スイッチ１０のうち本体ケース１４の長さ寸法が最大になるものを取り付けた場合に、第３部材３０がガイド溝４７の前端（固定部４４側の端部）にくるような位置に設定すればよい。即ち、そのような位置にネジ孔を設けて固定ネジ４１，４１によりベース部材４０をねじ止め固定すれば、ベース部材４０を本体ケース１４の長さ方向（配列方向）における最も中央寄り位置に取り付けることができ、取り付けに必要なスペースを最小にできる。なお、対向壁Ｗへの取り付けを行う際には、保持ネジ４３を緩めることで、本体側取付具２０Ｆをガイド部４６に沿って（図１０の矢線方向）に変位させて本体ケース１４の長さ方向（配列方向）の位置を調整することができ、再び保持ネジ４３を締めることで本体ケース１４を位置決め状態で保持することができる。また、固定ネジ４１，４１を一時的に緩めた状態にすれば、ベース部材４０の取り付け位置についても微調整を行うことができる。なお、本実施形態では、図１において上下一対のベース部材４０（ベース側取付具２０Ｓ）を、固定部４４側が外側にガイド部４６側が中央側になるように取り付けたが、反対に固定部４４側が中央側にガイド部４６側が外側になるように取り付けることも可能である。
こうして、投光器１２及び受光器１３のそれぞれについて両端部の各取付具２０を対向壁Ｗにねじ止め固定すれば、多光軸光電スイッチ１０の取り付けが完了する。
【００３３】
ここで、投光器１２を対向壁Ｗに取り付けた状態で投光素子１１から出射光の投光方向（光軸方向）を調整したいときには、前方を向いた第２部材２５の平坦面２５Ｂに設けられている一対の取付ネジ３５，３５を緩めることで、図８に示すように、投光器１２が信号ケーブル１８を中心に、突起部２１の長孔２１Ａ，２１Ａの長さに応じた角度だけ回動させることが可能となる。そして、各投光素子１１からの出射光がそれぞれと対をなす受光器１３の受光素子に受光される角度になったら、再び取付ネジ３５，３５を締め付けて固定する。
なお、受光器１３側も上記投光器１２と同様の構造で対向壁Ｗに回動可能な状態で設定されるため、もって投光器１２の各投光素子１１の光軸と、受光器１３の各受光素子の光軸とが一致するように互いに回動させて光軸方向の調整を行うことができる。
【００３４】
このように、前方を向いた第２部材２５の平坦面２５Ｂに設けられている一対の取付ネジ３５，３５を緩めることで、投光器１２または受光器１３をそれぞれ回動させて光軸調整を行うことができる。従って、図１に示すように投光器１２及び受光器１３の上方側及び下方側のスペースが狭い検出領域Ｅであっても、それらを対向壁Ｗ、Ｗに取り付けた状態で取付ネジ３５，３５を緩めたり締めたりして光軸調整を行うことができる。
また、第２部材２５は、信号ケーブル１８を避けるように溝２７が形成されているから、本体ケース１４が回動される際に、信号ケーブル１８の外周面に例えば第２部材２５が摺接などして損傷させてしまうといった事態を極力防止することができる。
【００３５】
次に、上記のようにして対向壁Ｗに取り付けた多光軸光電スイッチ１０を本体ケース１４の長さ寸法が異なる別の多光軸光電スイッチ１０に交換する手順について説明する。
まず本体ケース１４両端の各取付具２０における保持ネジ４３を緩めて、ナット部材４２との螺合を外し、本体ケース１４及び本体側取付具２０Ｆをベース側取付具２０Ｓから取り外す。次に、ベース部材４０を対向壁Ｗに取り付けたままの状態で、両端部に本体側取付具２０Ｆを取り付けた別の本体ケース１４を図１における上下一対のベース部材４０間に渡して各ガイド溝４７に第３部材３０の張出部３４を嵌め込む。そして、ナット部材４２を適宜第３部材３０の貫通孔３１Ａと対応する位置に移動させつつ、貫通孔３１Ａに挿通させた保持ネジ４３をナット部材４２と螺合する。以上により、多光軸光電スイッチ１０の交換作業が完了する。このように、多光軸光電スイッチ１０の交換作業においては、ベース部材４０を対向壁Ｗに取り付けたまま行うことができ、さらに、保持ネジ４３を外した状態におけるナット部材４２がベース部材４０の収容溝４９内から脱落しないため、作業性が良い。
【００３６】
以上のように本実施形態によれば、取付具２０が本体ケース１４の端部に設けられた本体側取付具２０Ｆと、取付箇所に固定されるベース側取付具２０Ｓとを備えており、ベース側取付具２０Ｓが本体側取付具２０Ｆを配列方向における複数の位置で選択的に保持可能となっている。これにより、多光軸光電スイッチ１０を交換する際には、ベース側取付具２０Ｓを取付箇所に固定したままで、本体側取付具２０Ｆの保持位置を取り付ける本体ケース１４の長さ寸法に合わせて適宜調整すればよく、従来のように、本体ケースを交換する度にその長さ寸法に合わせて取付箇所にネジ孔を設ける加工が不要になり、作業性が向上する。
【００３７】
ここで、図１１は、説明のために従来の取付構造（Ａ）と本実施形態の取付構造（Ｂ）とを模式的に示した図である。同図では、比較のため、（Ａ）（Ｂ）ともに取り付け可能な本体ケース１００，１４のうち最大長さのものを取り付けた状態を示すとともに、両本体ケース１００，１４の長さ寸法Ｌを同一としている。前述のように、従来の取付構造（Ａ）においては、長さ方向（配列方向）の調整を行うために固定ネジ１０３の挿通孔１０２を延長した分取付具１０１，１０１の長さ寸法αが大きくなり、全体の長さ寸法はＬ＋２αとなっている。これに対し、本実施形態の取付構造（Ｂ）においては、長さ方向（配列方向）の調整を行うためのベース部材４０のガイド部４６（従来の取付具１０１の長さ寸法αとおよそ同程度の長さ寸法があればよい）が、本体側取付具２０Ｆの保持位置（保持ネジ４３の位置）から本体ケース１４の長さ方向の中央側に向けて延びる形態となっており、つまりベース部材４０が本体側取付具２０Ｆ及び本体ケース１４に重なる位置に配されるため、全体の長さ寸法を増大させない。本体ケース１４の端部からの取付具２０の張り出し寸法βは、本体側取付具２０Ｆとベース側取付具２０Ｓの保持構造を設けるために必要な長さ寸法があれば良く、従来の取付具１０１の張り出し寸法αよりもずっと小さくて済む（β＜α）。従って、本体ケース１４の長さ寸法と取付具２０，２０の張り出し寸法とを加えた全体の長さ寸法（Ｌ＋２β）を小さく抑えることができ、もって取付スペースの大型化を回避することができる。
【００３８】
また、ベース側取付具２０Ｓには、本体側取付具２０Ｆを配列方向に沿って連続的に変位可能なガイド部４６が設けられ、本体側取付具２０Ｆをこのガイド部４６の任意の位置で保持可能であるため、保持位置が段階的に決定されるものと比べると、ベース側取付具２０Ｓを固定した状態のままで、より多くの種類の異なった長さ寸法を有する多光軸光電スイッチを取り付けることが可能となる。
【００３９】
また、本体側取付具２０Ｆは、本体ケース１４を長さ方向（配列方向）に沿った回動軸を中心に回動可能な状態で支持する軸支手段と、本体ケース１４を回動軸周りの任意の位置（複数の位置）で保持可能な回動位置保持手段としての構成を備えているため、多光軸光電スイッチ１０の交換時に光軸調整をも同時に行うことができるので作業性が良い。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、投光器及び受光器のそれぞれの両端部に本実施形態の取付構造を適用したものを示したが、本発明は、投光器及び受光器のうちいずれか一方のみに適用しても良く、また、投光器または受光器における一方の端部のみに適用しても良い。
（２）上記実施形態では、可変保持手段として、本体側取付具を配列方向に沿って連続的に変位可能なガイド部を備え、本体側取付具をガイド部上の任意の位置保持可能としたものを示したが、これに限らず、可変保持手段としては、本体側取付具を配列方向における複数の段階の位置にのみ保持可能な構成としても良い。具体的には、例えばベース部材上に本体側取付具をネジ止めするためのネジ孔を配列方向に沿って所定間隔をおいて複数並べて配置した構成等が考えられる。
【図面の簡単な説明】
【００４１】
【図１】本発明の第１実施形態に係る多光軸光電スイッチの取付状態を示す斜視図
【図２】投光器の分解図
【図３】取付具の分解斜視図
【図４】第１部材の側面図、上面図、背面図及び前面図
【図５】第２部材の上面図及び正面図
【図６】第３部材の上面図、側面図、底面図及び正面図
【図７】ベース部材の上面図、側面図、底面図及び側断面図
【図８】本体側取付具の組付状態を示した正面断面図
【図９】ベース側取付具の組付状態を示した正面断面図
【図１０】取付具の組付状態を示した斜視図
【図１１】（Ａ）従来の取付構造を示す模式図  （Ｂ）本実施形態の取付構造を示す模式図
【符号の説明】
【００４２】
１０…多光軸光電スイッチ
１１…投光素子
１２…投光器
１３…受光器
１４…本体ケース
２０…取付具
２０Ｆ…本体側取付具（第１取付手段）
２０Ｓ…ベース側取付具（第２取付手段、多光軸光電スイッチ用取付具）
２１…突起部（軸支手段、回動位置保持手段）
２５…第１部材（軸支手段、回動位置保持手段）
３２…軸受壁部（軸支手段、回動位置保持手段）
３５…取付ネジ（軸支手段、回動位置保持手段）
４０…ベース部材
４１…固定ネジ（固定手段）
４２…ナット部材（可変保持手段）
４３…保持ネジ（可変保持手段）
４４…固定部（固定手段）
４６…ガイド部（可変保持手段）
Ｗ…対向壁（取付箇所）
【図１】
2005340139.tif 000003
【図２】
2005340139.tif 000004
【図３】
2005340139.tif 000005
【図４】
2005340139.tif 000006
【図５】
2005340139.tif 000007
【図６】
2005340139.tif 000008
【図７】
2005340139.tif 000009
【図８】
2005340139.tif 000010
【図９】
2005340139.tif 000011
【図１０】
2005340139.tif 000012
【図１１】
2005340139.tif 000013